(57)【特許請求の範囲】
【請求項１】
被検体の第１の光学像を撮像可能で前記第１の光学像に基づく第１の撮像信号を出力可能な第１の撮像手段と、
前記第１の光学像とは所定の視差を有した被検体の第２の光学像を撮像可能で前記第２の光学像に基づく第２の撮像信号を出力可能な第２の撮像手段と、
前記第１の撮像信号を入力可能な第１の入力部と前記第２の撮像信号を入力可能な第２の入力部とを有し、前記第１の光学像の画像と前記第２の光学像の画像とに基づいて前記被検体の画像を立体視可能に表示する表示手段と、
を有する手術用顕微鏡において、
前記第１の撮像手段に第１の光学像を結像する第１の光束もしくは前記第２の撮像手段に第２の光学像を結像する第２の光束を第１の領域及び第２の領域で前記所定の時間をおいて交互に遮蔽し、第１又は第２の領域を透過する光束をそれぞれ別々に、一方の撮像手段において結像可能にするための光束遮蔽手段と、
前記第１の光束上と前記第２の光束上とのどちらか一方に前記光束遮蔽手段を選択的に配置する配置手段と、
前記配置手段により前記光束遮蔽手段が前記一方の光束上に配置されたときに、前記光束遮蔽手段が配置された光束が結像される第１の撮像手段もしくは第２の撮像手段から出力される撮像信号を、前記所定の時間おきに前記第１の入力部及び前記第２の入力部に交互に入力し、第１の領域を透過する光束を撮像手段において結像して得られた画像信号と、第２の領域を透過する光束を撮像手段において結像して得られた画像信号とをそれぞれ別の入力に入力できるようにする、入力信号切換え手段と、
を有することを特徴とする手術用顕微鏡。
【発明の詳細な説明】
【０００１】
【発明の属する技術分野】
本発明は、術部を拡大観察することが可能な観察光学系と各光路を撮像する撮像手段とを有する手術用顕微鏡に関する。
【０００２】
【従来の技術】
近年、手術方法、手術用具の発達に伴い、微細な手術いわゆるマイクロサージャリーが頻繁に行われるようになってきた。マイクロサージャリーには、眼科や脳神経外科に例を見るように、術部を拡大観察するための観察光学系を有する鏡体を備えた手術用顕微鏡が用いられる。
【０００３】
一般に手術用顕微鏡は、術部を拡大観察するための顕微鏡からなる鏡体と、この鏡体を所望の位置、角度に移動し保持するための顕微鏡支持装置とで構成されている。
【０００４】
また、手術用顕微鏡において、対物光学系を備えた観察光学系と撮像手段とを備えたものも、例えば特開平３−３９７１１号公報で知られている。これは対物光学系による被観察体の結像位置に受光面を有する撮像手段を有しており、撮像手段によって撮像された像を表示手段としてのディスプレイに表示し、ディスプレイに表示された画像を観察できるようにしたものである。
【０００５】
また、東独特許第２５９２６５号においては、撮像手段によって得た画像を術者の頭部に取り付けたヘッドマウントディスプレイやテレビモニターに表示し、術者は反射鏡を利用してそれぞれ右眼、左眼のモニター像を観察できるようにしたものである。
【０００６】
【発明が解決しようとする課題】
しかしながら、撮像手段によって得た画像を観察しながら手術を行う、いわゆるビデオ顕微鏡は、電気部品の故障や信号ケーブルの断線等が発生した場合、突然画像が消え、手術が続行できないという問題がある。
【０００７】
本発明は、前記事情に着目してなされたもので、その目的とするところは、右眼、左眼の片方での画像が得られなくなっても、入力信号を切換えることにより、簡単に立体画像が得られ、また、鏡体の小形化が図れる手術用顕微鏡を提供することにある。
【０００８】
【課題を解決するための手段】
本発明は前記目的を達成するために、被検体の第１の光学像を撮像可能で前記第１の光学像に基づく第１の撮像信号を出力可能な第１の撮像手段と、前記第１の光学像とは所定の視差を有した被検体の第２の光学像を撮像可能で前記第２の光学像に基づく第２の撮像信号を出力可能な第２の撮像手段と、前記第１の撮像信号を入力可能な第１の入力部と前記第２の撮像信号を入力可能な第２の入力部とを有し、前記第１の光学像の画像と前記第２の光学像の画像とに基づいて前記被検体の画像を立体視可能に表示する表示手段と、を有する手術用顕微鏡において、前記第１の撮像手段に第１の光学像を結像する第１の光束もしくは前記第２の撮像手段に第２の光学像を結像する第２の光束を第１の領域及び第２の領域で前記所定の時間をおいて交互に遮蔽し、第１又は第２の領域を透過する光束をそれぞれ別々に、一方の撮像手段において結像可能にするための光束遮蔽手段と、前記第１の光束上と前記第２の光束上とのどちらか一方に前記光束遮蔽手段を選択的に配置する配置手段と、前記配置手段により前記光束遮蔽手段が前記一方の光束上に配置されたときに、前記光束遮蔽手段が配置された光束が結像される第１の撮像手段もしくは第２の撮像手段から出力される撮像信号を、前記所定の時間おきに前記第１の入力部及び前記第２の入力部に交互に入力し、第１の領域を透過する光束を撮像手段において結像して得られた画像信号と、第２の領域を透過する光束を撮像手段において結像して得られた画像信号とをそれぞれ別の入力に入力できるようにする、入力信号切換え手段と、を有することを特徴とする。
【０００９】
前述したように、第１の撮像手段に第１の光学像を結像する第１の光束もしくは第２の撮像手段に第２の光学像を結像する第２の光束を第１の領域及び第２の領域で所定の時間をおいて交互に遮蔽するための光束遮蔽手段を設け、第１の光束上と第２の光束上とのどちらか一方に光束遮蔽手段を選択的に配置し、光束遮蔽手段が一方の光束上に配置されたときに、光束遮蔽手段が配置された光束が結像される第１の撮像手段もしくは第２の撮像手段から出力される撮像信号を、所定の時間おきに第１の入力部及び第２の入力部に交互に入力する入力信号切換えを行うことにより、片方での画像が得られなくなっても、簡単に立体画像が得られる。
【００１０】
【発明の実施の形態】
以下、本発明の各実施の形態を図面に基づいて説明する。
【００１１】
図１および図２は第１の実施例を示す。図１は本実施例のヘッドマウントディスプレイの構成図、図２は鏡体の構成図である。図１に示す、１は頭部固定部材であり、術者の頭部に装着される。頭部固定部材１の上部には表示部２が設けられ、この表示部２には左右一対（一方のみ図示）のレンズ３Ｌ，３Ｒおよびディスプレイ４Ｌ，４Ｒが設けられている。
【００１２】
前記頭部支持部材１の前部には上下方向に突出するミラー支持部材５が設けられ、このミラー支持部材５の上部にはディスプレイ４Ｌ，４Ｒに対して４５゜の角度で対向する固定ミラー６Ｌ，６Ｒが設けられている。ミラー支持部材５の下部には枢支軸７を支点として回動可能な可動ミラー８Ｌ，８Ｒが設けられ、この可動ミラー８Ｌ，８Ｒを下方へ回動したときは術者の視線９に対して４５゜の角度で対向し、前記ディスプレイ４Ｌ，４Ｒに写し出された画像を観察でき、上方へ回動したときは術者の視線９から退避できるようになっている。
【００１３】
前記頭部支持部材１の最前部には術者の左眼、右眼に対応して光学的観察手段としての拡大鏡１０Ｌ，１０Ｒが設けられている。すなわち、この拡大鏡１０Ｌ，１０Ｒは前記可動ミラー８Ｌ，８Ｒの光軸の延長上に設置されており、可動ミラー８Ｌ，８Ｒを上方へ回動したとき、術者は被観察部を拡大鏡１０Ｌ，１０Ｒによって観察できるように構成されている。
【００１４】
次に、図２に示す、鏡体１１の構成を説明する。鏡体１１の内部には１つの対物レンズ１３、一対の変倍光学系１４Ｌ，１４Ｒ、一対の結像レンズ１５Ｌ，１５ＲおよびＲＧＢ撮像装置１６Ｌ，１６Ｒが被観察部側から順次配設されて構成されている。
【００１５】
ＲＧＢ撮像装置１６Ｌ，１６Ｒは、色分解プリズム１７とＲ撮像素子１８ａ、Ｇ撮像素子１８ｂ、Ｂ撮像素子１８ｃとから構成され、このＲＧＢ撮像装置１６Ｌ，１６Ｒはプロセッサ１９Ｌ，１９Ｒを介して前記ディスプレイ４Ｌ，４Ｒに接続されている。前記プロセッサ１９Ｌ，１９Ｒは、ＲＧＢ撮像装置１６Ｌ，１６Ｒを駆動、光電変換信号を読み出す駆動回路、ＲＧＢの各画像信号を生成する画像生成回路を備えている。
【００１６】
この実施例によれば、通常は、対物レンズ１３および変倍光学系１４Ｌ，１４Ｒを通して得られた術部等の被観察部の像は色分解プリズム１７を通してＲ，Ｇ，Ｂの各光路に分けられ、それぞれＲ撮像素子１８ａ、Ｇ撮像素子１８ｂ、Ｂ撮像素子１８ｃに入射される。Ｒ撮像素子１８ａ、Ｇ撮像素子１８ｂ、Ｂ撮像素子１８ｃのそれぞれの画像情報信号は、プロセッサ１９Ｌ，１９Ｒの画像生成回路によって画像信号に変換され、ディスプレイ４Ｌ，４Ｒに画像として表示される。
【００１７】
したがって、ディスプレイ４Ｌ，４Ｒに写し出された画像は、レンズ３Ｌ，３Ｒ、固定ミラー６Ｌ，６Ｒおよび可動ミラー８Ｌ，８Ｒを介して術者の左眼、右眼に入射するため、ディスプレイ４Ｌ，４Ｒに表示された画像を立体視できる。
【００１８】
このように撮像手段によって被観察部を観察しながら手術中に、電気部品の故障や信号ケーブルの断線等のトラプルが発生し、突然画像が消えた場合、つまり、画像による観察が行えなくなった場合、可動ミラー８Ｌ，８Ｒを枢支軸７を支点として上方へ回動（跳ね上げ）すると、術者は被観察部を拡大鏡１０Ｌ，１０Ｒによって観察でき、手術を続行できる。したがって、手術中に電気的なトラブルが発生しても安全であり、また、可動ミラー８Ｌ，８Ｒを枢支軸７を支点として跳ね上げるという簡単な操作によって切換えることができる。
【００１９】
図３〜図５は第２の実施例を示す。図３は鏡体支持装置を示す、架台２１は床面を移動自在であり、基台２１ａとこの基台２１ａに対して立設された支柱２１ｂとから構成されている。支柱２１ｂの上端には図示しない光源が内蔵された第１アーム２２が軸Ｏａを中心に回動可能に取り付けられ、第１アーム２２の他端には軸Ｏｂを中心に回動可能な第２アーム２３が取り付けられている。
【００２０】
第２アーム２３の他端には軸Ｏｃを中心に回動可能な第３アーム２４が取り付けられ、第３アーム２４には軸Ｏｄにて一端を支持された平行四辺形リンクの構成により、鏡体２７が術者の観察方向に対し前後方向の俯仰操作と、軸Ｏｅを中心として鏡体２７が術者の観察方向に対し、左右方向の俯仰操作とが可能とすべく構成されている。俯仰アーム２５の先端部にはハンドル２６および鏡体２７が設けられている。
【００２１】
そして、鏡体２７を空間的に自在に位置操作できるようになっており、軸Ｏａ〜Ｏｅの各部には後述する電磁クラッチ３８ａ〜３８ｅが設けられ、ハンドル２６に設けたスイッチ２８によって各軸Ｏａ〜Ｏｅを選択的にロック・アンロックできるように構成されている。
【００２２】
次に、図４に示す、鏡体２７の光学系の構成を説明する。図４は左側光路を示すもので、対物レンズ３０Ｌ、変倍光学系３１Ｌ、結像レンズ３２Ｌが被観察部側から順次配設されて構成されている。結像レンズ３２Ｌの結像点には撮像素子３３Ｌが設けられ、この撮像素子３３Ｌは回転軸３４Ｌを軸心として回動可能な取付け部材３５Ｌに取付けられている。
【００２３】
回転軸３４Ｌはソレノイド（図示しない）によって駆動され、撮像素子３３Ｌを光路上（実線位置）と光路外（破線位置）に移動できるようになっている。さらに、鏡体２７には結像レンズ３２Ｌの結像点に焦点が位置するように接眼レンズ３６Ｌが設けられている。
【００２４】
次に、図５に示す、電気回路を説明する。前記ハンドル２６に設けられたスイッチ２８は駆動回路３７を介して各軸Ｏａ〜Ｏｅの各部に設けられた電磁クラッチ３８ａ〜３８ｅに電気的に接続されている。
【００２５】
また、前記撮像素子３３Ｌ，３３Ｒと接続され、左右の画像信号を生成する画像生成回路を備えたプロセッサ３９Ｌ，３９Ｒは積分回路４０Ｌ，４０Ｒ、比較回路４１Ｌ，４１Ｒを介してＯＲ回路４２に接続され、このＯＲ回路４２は前記ソレノイドを駆動するソレノイド駆動回路４３に接続されている。
【００２６】
そして、プロセッサ３９Ｌ，３９Ｒからの画像信号の有無を積分回路４０Ｌ，４０Ｒ、比較回路４１Ｌ，４１Ｒによって検出し、いずれか一方でも無となると、ＯＲ回路４２を介してソレノイド駆動回路４３によってソレノイドが駆動される。したがって、回転軸３４Ｌ，３４Ｒが回動して取付け部材３５Ｌ，３５Ｒを介して撮像素子３３Ｌ，３３Ｒが光路外（破線位置）に退避し、接眼レンズ３６Ｌ，３６Ｒによって観察ができる。
【００２７】
この実施例によれば、ヘッドマウントディスプレイを外すだけでよいので、鏡体２７において滅菌等のため、ドレープを使用していても、ドレープにおいて接眼部の開口をあらかじめ設定しておけば、手術中に故障が生じても何ら問題なく光学的観察が行える。
【００２８】
図６〜図１０は第３の実施例を示し、第１の実施例と同一構成部分は同一番号を付して説明を省略する。この実施例は片側の光路のみで瞳分割による立体撮像を行うもので、図６および図７に示すように、鏡体４４の内部の瞳位置には光束遮蔽手段としての液晶シャッタ４５が設けられている。この液晶シャッタ４５はガイド部材４６上をスライド自在に支持されているとともに、液晶シャッタ４５には鏡体４４の外部に突出する配置手段としての操作ハンドル４７が設けられている。
【００２９】
液晶シャッタ４５は、通常時は左光路Ｌと右光路Ｒとの間（実線位置）に設置され、操作ハンドル４７によって液晶シャッタ４５を左光路Ｌに位置すると、左スイッチ４８がＯＮとなり、液晶シャッタ４５を右光路Ｒに位置すると、右スイッチ４９がＯＮとなり、液晶シャッタ４５の位置を確認できるように構成されている。前記液晶シャッタ４５は、図８に示すように、瞳分割するためのフィルタであり、左右の半分ずつが、ＯＮ（透過）、ＯＦＦ（遮光）の動作を行うように形成されている。
【００３０】
次に、図９に示す、電気回路、図１０に示す、タイミングチャートに基づき作用について説明する。通常は、液晶シャッタ４５は左光路Ｌと右光路Ｒとの間（実線位置）にあり、プロセッサ１９Ｌ，１９Ｒによる画像信号が図示しないディスプレイに表示される。
【００３１】
ここで、例えば右光路Ｒによる画像が撮像素子１６Ｒもしくはプロセッサ１９Ｒ等の故障により得られないときについて説明する。今、右眼の表示画像が消えたとき、術者が操作ハンドル４７を左側へ移動させると、液晶シャッタ４５が図７の破線位置Ｌとなる。このとき、左スイッチ４８がＯＮとなり、ロジック回路５０Ｌを介して選択回路５１に、プロセッサ１９Ｒの画像信号を出力すべくスイッチをコントロールする。
【００３２】
さらに、ＯＲ回路５２を介して入力信号切換え手段としての切換え回路５３Ｌ，５３Ｒによって切り換わる。フィールド検出回路５４ａではＥＶＥＮ、ＯＤＤのフィールドの判定を行い、検出出力によりフィールド切換え回路５４ｂのスイッチングと液晶ドライバ５５による液晶シャッタ４５の駆動を行う。
【００３３】
図１０に示すように、Ｄ１撮像時は、液晶シャッタ４５は図８に示すように、左側がＯＮ（透過）となっており、このときの画像信号はフィールド切換え回路５４ｂを介して画像メモリ５６Ｌに入力され、ここでは入力された画像信号をメモリを用いることにより、フィールド検出信号にしたがって２回連続出力する。これが左眼にて観察される。
【００３４】
一方、Ｅ１の画像信号においては、液晶シャッタ４５の右側がＯＮ（透過）となっており、このときの画像信号はフィールド切換え回路５４ｂを介して画像メモリ５６Ｌに入力され、ここでは入力された画像信号をメモリを用いることにより、フィールド検出信号にしたがって２回連続出力する。これが右眼にて観察される。
【００３５】
このように片方での画像が得られなくなっても、簡単に立体画像が得られる。また、鏡体４４に液晶シャッタ４５を追加するだけであるため小形化が図れるとともに、ズーム等の光学系をそのまま利用できるという効果がある。
【００３６】
図１１〜図１５は第４の実施例を示し、第１の実施例と同一構成部分は同一番号を付して説明を省略する。この実施例は、鏡体１１の内部の瞳位置に設けられた絞り５８Ｌ，５８Ｒと結像レンズ１５Ｌ，１５Ｒとに各々の光路を偏向すべく可動ミラー５９を設け、この可動ミラー５９を鏡体１１に対して移動可能な可動鏡体６０と連動するように構成したものである。
【００３７】
すなわち、鏡体１１には回転軸６１が設けられ、この回転軸６１を曲率中心とする円弧面１２ａが設けられている。回転軸６１にはアーム６２の一端部が固定され、このアーム６２の他端部には可動鏡体６０が支持され、可動鏡体６０は円弧面１２ａに沿って９０゜回動可能に構成されている。
【００３８】
さらに、回転軸６１には小歯車６３が嵌着され、この小歯車６３はミラー軸６４に嵌着された大歯車６５とアイドル歯車６５ａを介して噛合している。ミラー軸６４にはミラー台６６の基端部が固定され、このミラー台６６に前記可動ミラー５９が固定されている。ここで、小歯車６３と大歯車６５のギャ比は１：２であり、回転軸６１が９０゜回動すると、ミラー軸６４は同方向に４５゜回動するようになっている。
【００３９】
また、前記可動鏡体６０には支持部６７を有しており、この支持部６７には回転ミラー６８を有するテイルト部６９とプリズム７０Ｌ，７０Ｒおよび接眼レンズ７１Ｌ，７１Ｒが設けられている。
【００４０】
そして、可動鏡体６０は、図１１に示す撮像位置と、図１２に示す光学的観察位置の２つのポジションに切換えでき、可動鏡体６０を下方へ９０゜回動して光学的観察位置にセットしたとき、回転軸６１が回転し、この回転は小歯車６３、アイドル歯車６５ａ、大歯車６５を介してミラー軸６４が回動して回動ミラー５９が４５゜回動し、この回動ミラー５９によって偏向されてリレーレンズ７２Ｌ，７２Ｒを介して光路が可動鏡体６０に導かれるようになっている。なお、７３は鏡体１２の側壁に設けられリレーレンズ７２Ｌ，７２Ｒに対向する開口窓を開閉する扉である。
【００４１】
したがって、可動鏡体６０を図１１に示すように、手術に邪魔にならないように撮像位置に回動して退避することにより、可動ミラー５９も回動して光路から退避し、第１の実施例と同様に撮像素子１６Ｌ，１６Ｒ、プロセッサ１９Ｌ，１９Ｒによる画像が立体観察される。
【００４２】
このように画像観察による手術中にいずれかに故障が生じ、観察できない場合には図１２に示すように、可動鏡体６０を下方へ回動して光学的観察位置にセットすると、回動ミラー５９が４５゜回動し、この回動ミラー５９によって偏向されてリレーレンズ７２Ｌ，７２Ｒを介して光路が可動鏡体６０に導かれ、可動鏡体６０による光学観察ができ手術を続行できる。
【００４３】
次に、図１５に示す、電気回路について説明する。７４は可動鏡体６０の位置を判定するスイッチであり、このスイッチ７４はロジック回路７５からの指令はなくプロセッサ１９Ｌ，１９Ｒによる画像信号に基づいて明るさ演算部７６により駆動回路７７を介して絞り５８Ｌ，５８Ｒを調節する。
【００４４】
可動鏡体６０を図１２に示す、光学的観察位置に移動させると、スイッチ７４がＯＮとなり、ロジック回路７５によりスイッチ回路７８を切換え、設定メモリ７９に対して出力命令を出す。したがって、絞り５８Ｌ，５８Ｒは設定メモリ７９からのデータにより駆動回路７７にて調節され、ランプ８１の点灯回路８０においても同様に明るさが設定される。
【００４５】
設定メモリ７９に対しては可動鏡体６０を介して光学的観察の場合において最適となる条件が記憶される。撮像による観察時は焦点深度向上等のため絞り５８Ｌ，５８Ｒがかなり絞られ、かつランプ８１による照明も点灯回路８０により明るく設定される。
【００４６】
このように通常は、可動鏡体６０が手術の邪魔にならない位置に退避しており、故障の際にも操作性が容易である。光学観察の切換えに伴って照明、絞り等の設定も最適となるように設定し直すことにより、故障時の切換えにおいても違和感がなく手術を続行できる。
【００４７】
図１６および図１７は第５の実施例を示し、第４の実施例と同一構成部分については説明を省略する。この実施例は、鏡体１１の内部の結像レンズ１５Ｌ，１５Ｒより上部に回転軸心８３を中心として回転可能な回転台８４を設け、この回転台８４に、回転軸心８３を中心として対称的に撮像部８５と光学観察用鏡体８６とを設置し、回転台８４の１８０゜回転によって撮像位置と光学的観察位置が切換えられるように構成したものである。
【００４８】
すなわち、前記光学観察用鏡体８６には支持部８７を有しており、この支持部８７には第１のミラー８８と第２のミラー８９を有するテイルト部９０が設けられ、光路がプリズム７０Ｌ，７０Ｒ、接眼レンズ７１Ｌ，７１Ｒに導かれるようになっている。
【００４９】
したがって、光学観察用鏡体８６を図１６および図１７に示すように、手術に邪魔にならないように退避することにより、撮像部８５により第１の実施例と同様に撮像素子１６Ｌ，１６Ｒ、プロセッサ１９Ｌ，１９Ｒによる画像が立体観察される。
【００５０】
このように画像観察による手術中にいずれかに故障が生じ、観察できない場合には回転台８４を１８０゜回転して鏡体１１の内部の結像レンズ１５Ｌ，１５Ｒに光学観察用鏡体８６の第１のミラー８８を対向させることにより、第２のミラー８９を介して光路がプリズム７０Ｌ，７０Ｒ、接眼レンズ７１Ｌ，７１Ｒに導かれ、光学観察用鏡体８６による光学観察ができ手術を続行できる。
【００５１】
図１８および図１９は開示例１を示し、鏡体１００の内部には１つの対物レンズ１０１、一対の変倍光学系１０２Ｌ，１０２Ｒ、一対の結像レンズ１０３Ｌ，１０３ＲおよびＲＧＢ撮像装置１０４Ｌ，１０４Ｒが被観察部側から順次配設されて構成されている。
【００５２】
ＲＧＢ撮像装置１０４Ｌ，１０４Ｒは、色分解プリズムとＲ撮像素子、Ｇ撮像素子、Ｂ撮像素子とから構成され、このＲＧＢ撮像装置１０４Ｌ，１０４Ｒはプロセッサ１０５Ｌ，１０５Ｒに接続されている。前記プロセッサ１０５Ｒからの右眼用映像信号は、図１９に示すようなマーク１０６をスーパインボーズするスーパインボーズ回路１０７、立体映像信号構成回路１０８により立体映像信号にあわせて表示部１０９ａを覆うように設けられた液晶偏光板１０９を駆動する液晶駆動回路１１０と反転信号により立体映像信号と液晶偏光板１０９のタイミングを反転させるためのロジック回路（図示しない）とから構成されている。このように右眼用映像信号のみにマーク１０６を入れ、これにより常に確認することができ、反転させることもできる。
【００５３】
図２０および図２１は開示例２を示し、第２の実施例における鏡体支持装置の俯仰アーム２５に、開示例１の鏡体１００を組み合わせたもので、鏡体１００の俯仰操作終了を検出するロジック回路１１１を設け、スイッチ２８による電磁クラッチ３８ａ〜３８ｅの操作信号がスイッチ回路２８ａを介して入力される。
【００５４】
この操作終了信号にしたがって視野変更後と判断し、開示例１と同様に右眼用映像信号にマーク１０６をある時間表示させる。視野変更により映像信号に変化が生じるので、このとき立体感の確認を行う。
【００５５】
図２２は開示例３を示し、プロセッサ１０５Ｌ，１０５Ｒからの映像信号によって積分回路１１２Ｌ，１１２Ｒ，比較回路１１３Ｌ，１１３Ｒを介して映像信号の有無を検出するもので、切換え回路１１４Ｌ，１１４Ｒでは各々の映像信号検出信号により映像信号選択を行う。
【００５６】
通常の状態においては、プロセッサ１０５Ｌ，１０５Ｒからの映像信号が切換え回路１１４Ｌ，１１４Ｒと、片側の画像である図示しない表示をスーパインポーズすべくスーパインボーズ回路１１５Ｌ，１１５Ｒを介してそれぞれ発信機１１６Ｌ，１１６Ｒに入力され、これら発信機１１６Ｌ，１１６Ｒからヘッドマウントディスプレイの受信機１１７に送信されているが、どちらか一方、例えば右眼側が故障した場合、積分回路１１２Ｒ、比較回路１１３Ｒにより映像信号出力がなされていないことを検出し、切換え回路１１４Ｒが切り換わり、プロセッサ１０５Ｌによる映像信号がスーパインポーズ回路１１５Ｒに送出される。スーパインボーズ回路１１５Ｌ，１１５Ｒには前記比較回路１１３Ｒからの出力に従ってＯＲ回路１１８を介して信号が出力され、各々切換え回路１１４Ｌ、１１４Ｒを介して入力されるプロセッサ１０５Ｌの映像信号に片側のみの画像である(非立体観察)という表示を挿入する。発信機１１６Ｌ、１１６Ｒから前記スーパインボーズ回路１１５Ｌ、１１５Ｒからの映像信号がヘッドマウントディスプレイの受信機１１７に送信される。術者は左右眼にて上記左側光路におけるプロセッサ１０５Ｌによる映像を観察する。このとき映像中の表示により非立体観察であることの確認ができる。
【００５７】
図２３〜図２５は開示例４を示し、第１の実施例における鏡体支持装置の俯仰アーム２５に、開示例１の鏡体１００を組み合わせたもので、電磁クラッチ３８ａ〜３８ｅの操作終了を検出し、その信号に合わせてその後しばらくの間、撮影のためのシャッタスピードを短くして振動によるブレの影響をなくすようにしたものである。
【００５８】
すなわち、スイッチ回路２８ａはロジック回路１１９を介してパルス回路１２０に接続されており、操作終了信号によってパルス回路１２０にてタイマ１２１に設定された時間内においてシャッタスピードを速くすべく駆動読み出し回路１２２Ｌ，１２２Ｒにクロックパルス信号を送り、それ以外の時間は通常のクロックパルスを駆動読み出し回路１２２Ｌ，１２２Ｒに送る。なお、駆動読み出し回路１２２Ｌ，１２２Ｒは映像信号処理回路１２３Ｌ，１２３Ｒを介して左右眼用のモニター１２４Ｌ，１２４Ｒに接続されている。
【００５９】
図２６および図２７は開示例５を示し、ズーム変倍における倍率を検出する手段を設け、さらに鏡体１００の振動を検出し、その振動周波数を算出することにより、変倍値と振動周波数からシャッタスピードを設定するようにしたものである。
【００６０】
すなわち、鏡体１００に変位センサ（加速度センサ）１２５を設け、この信号を増幅回路１２６を介してゼロクロス検出回路１２７にてパルス信号化する。また、クロック回路１２８による単位時間内のパルスをカウンタ１２９によってカウントし、ｆ検出回路１３０により周波数検出を行う。
【００６１】
一方、変倍用の駆動回路１３１ａからの駆動信号によって駆動する変倍用モータ１３１にエンコーダ１３２を設け、倍率検出回路１３３により倍率を検出し、この周波数と倍率値に応じてシャッタスピード設定回路１３４から駆動読み出し回路１２２Ｌ，１２２Ｒにクロックパルス信号を送り、図２７に示すように撮像素子の露出時間、つまりシャッタスピードを可変する。このように構成することにより、倍率が高いと振動による影響が大きくなるが、この像のブレをなくし、観察がしやすくなるという効果がある。
【００６２】
【発明の効果】
以上説明したように、本発明の手術用顕微鏡は、第１の撮像手段に第１の光学像を結像する第１の光束もしくは第２の撮像手段に第２の光学像を結像する第２の光束を第１の領域及び第２の領域で所定の時間をおいて交互に遮蔽するための光束遮蔽手段を設け、第１の光束上と第２の光束上とのどちらか一方に光束遮蔽手段を選択的に配置し、光束遮蔽手段が一方の光束上に配置されたときに、光束遮蔽手段が配置された光束が結像される第１の撮像手段もしくは第２の撮像手段から出力される撮像信号を、所定の時間おきに第１の入力部及び第２の入力部に交互に入力する入力信号切換えを行うことにより、片方での画像が得られなくなっても、簡単に立体画像が得られる。また、光束遮蔽手段を追加するだけであるため鏡体の小形化が図れるとともに、ズーム等の光学系をそのまま利用できるという効果がある。
【図面の簡単な説明】
【図１】本発明の第１の実施例に係わる手術用顕微鏡のヘッドマウントディスプレイを示す側面図。
【図２】同実施例の鏡体の構成図。
【図３】本発明の第２の実施例を示す鏡体支持装置の側面図。
【図４】同実施例の鏡体の光学系の構成図。
【図５】同実施例の電気系のブロック図。
【図６】本発明の第３の実施例を示す鏡体の光学系の構成図。
【図７】図６のＡ−Ａ線に沿う断面図。
【図８】同実施例の液晶シャッタの正面図。
【図９】同実施例の電気系のブロック図。
【図１０】同実施例のタイミングチャート図。
【図１１】本発明の第４の実施例を示し、撮像時の鏡体の構成図。
【図１２】同実施例の光学的観察時の鏡体の構成図。
【図１３】同実施例の鏡体の側面図。
【図１４】同実施例の可動ミラーの側面図。
【図１５】同実施例の電気系のブロック図。
【図１６】本発明の第５の実施例を示す鏡体の正面図。
【図１７】同実施例の鏡体の平面図。
【図１８】手術用顕微鏡の開示例１を示す構成図。
【図１９】同開示例の表示画像を示す説明図。
【図２０】手術用顕微鏡の開示例２を示す鏡体支持装置の側面図。
【図２１】同開示例の電気系のブロック図。
【図２２】手術用顕微鏡の開示例３を示す電気系のブロック図。
【図２３】手術用顕微鏡の開示例４を示す鏡体支持装置の側面図。
【図２４】同開示例の電気系のブロック図。
【図２５】同開示例の鏡体の構成図。
【図２６】手術用顕微鏡の開示例５の電気系のブロック図。
【図２７】同開示例の説明図。
【符号の説明】
１６Ｌ，１６Ｒ…ＲＧＢ撮像装置、４４…鏡体、４５…液晶シャッタ(光束遮蔽手段)、４７…操作ハンドル(配置手段)
【図１】
0003694002.tif 000002
【図２】
0003694002.tif 000003
【図３】
0003694002.tif 000004
【図４】
0003694002.tif 000005
【図５】
0003694002.tif 000006
【図６】
0003694002.tif 000007
【図７】
0003694002.tif 000008
【図８】
0003694002.tif 000009
【図９】
0003694002.tif 000010
【図１０】
0003694002.tif 000011
【図１１】
0003694002.tif 000012
【図１２】
0003694002.tif 000013
【図１３】
0003694002.tif 000014
【図１４】
0003694002.tif 000015
【図１５】
0003694002.tif 000016
【図１６】
0003694002.tif 000017
【図１７】
0003694002.tif 000018
【図１８】
0003694002.tif 000019
【図１９】
0003694002.tif 000020
【図２０】
0003694002.tif 000021
【図２１】
0003694002.tif 000022
【図２２】
0003694002.tif 000023
【図２３】
0003694002.tif 000024
【図２４】
0003694002.tif 000025
【図２５】
0003694002.tif 000026
【図２６】
0003694002.tif 000027
【図２７】
0003694002.tif 000028